(57)【要約】【課題】２次側から１次側への故障応答をより簡単で且つ集積可能な手段を用いて可能とする、ブリッジ装置内のパワー半導体スイッチ用の回路装置、並びにそれに付属する方法を紹介する。【解決手段】回路装置が１次側（２０）と２次側（３０）の間に故障ステータス伝送のためのダイオード（６０）を有する。故障のない稼動時、２次側はダイオードのカソードに「ハイ」レベル（Ｖｄ）を印加し、故障のある稼動時には「ロー」レベル（Ｇｄ）を印加する。２次側から１次側への故障ステータスは、２次側が、開かれているＢＯＴスイッチ（５２）又は高抵抗の抵抗（７０）を介してほぼグラウンド・基準電位上にあるためにダイオードを通じて電流の流れが行なわれることにより認識される。【選択図】図２
2006333458.tif 000002
【特許請求の範囲】
【請求項１】
１次側の部分（１次側、２０）と、ブリッジ回路のＴＯＰスイッチ（５０）及びＢＯＴスイッチ（５２）のための各々の２次側の部分（２次側、３０）とから成るブリッジトポロジーにおいてパワー半導体スイッチ（５０、５２）を駆動するための好ましくはモノリシック集積された回路装置（１００）において、１次側（２０）が、少なくとも１つの信号処理部と、電位を伴わずに少なくとも１つの２次側（３０）を駆動するための少なくとも１つのレベルシフタ（４４）とを有し、この２次側（３０）が、少なくとも１つの信号処理部と、各々のスイッチのための少なくとも１つのドライバーステージとを有し、１次側（２０）と少なくとも１つの２次側（３０）との間には、２次側（３０）から１次側（２０）に故障ステータス伝送するためのダイオード（６０）が配設されていて、そのアノード側の端子が１次側（２０）に配設されていて、そのカソード側の端子がドライバー回路の２次側（３０）に配設されていて、このダイオード（６０）が、１次側（２０）において故障ステータス認識のためのフィルタリング部と電流検知部と接続されていて、２次側（３０）において故障ステータス実装のための回路と接続されていることを特徴とする回路装置。
【請求項２】
ブリッジ回路の中間引出部、及びそれにより故障ステータス実装のための回路も、高抵抗の抵抗（７０）を介して全回路装置のグラウンド・基準電位と接続されていることを特徴とする、請求項１に記載の回路装置。
【請求項３】
ダイオード（６０）が、１次側（２０）と２次側（３０）との間の最大電位差に対応する耐電圧を有することを特徴とする、請求項１に記載の回路装置。
【請求項４】
請求項１又は２に記載の回路装置内で２次側（３０）から１次側（２０）に故障伝送するための方法において、１次側（２０）により、１次側（２０）の稼動電圧と同じ又はそれよりも小さい定義された電圧がダイオード（６０）のアノードに印加され、ＴＯＰスイッチ（５０）に付設された２次側（３０）の故障のない稼動時には故障ステータス実装回路を用いてダイオード（６０）のカソードが「ハイ」レベル（Ｖｄ）を有し、故障のある稼動時には故障ステータス実装回路を用いて「ロー」レベル（Ｇｄ）を有し、それにより、ＴＯＰスイッチ（５０）が閉じている場合、２次側（３０）から１次側（２０）への故障ステータスが、２次側（３０）の「ロー」レベルが、開かれているＢＯＴスイッチ（５２）又は高抵抗の抵抗（７０）を介してほぼグラウンド・基準電位上にあるためにダイオード（６０）を通じて電流の流れが行なわれるので認識されることを特徴とする方法。
【請求項５】
ダイオード（６０）を介した電流の流れが、フィルタリング及び時間・相・制御の後に、抵抗電圧降下の検知を用い、電流の流れ又は電流部分の分断の結果として評価されることを特徴とする、請求項４に記載の方法。
【発明の詳細な説明】
【技術分野】
【０００１】
本発明は、ブリッジ回路内に配設されているパワースイッチを駆動（コントロール）するための好ましくは集積（インテグレーテッド）された回路装置、並びにそれに付属する方法に関する。パワースイッチのこの種のブリッジ装置は、ハーフブリッジ回路、又はＨ（２相）ブリッジ回路、又は３相ブリッジ回路として知られていて、この際、単相ハーフブリッジがこの種のパワー電子回路の基礎構成要素を示すことになる。ハーフブリッジ回路内には、２つのパワースイッチ、即ち第１の所謂ＴＯＰスイッチと第２の所謂ＢＯＴスイッチが直列回路として配設されている。この種のハーフブリッジは、通常、直流中間回路に対する接続部を有する。センタータップは典型的には負荷と接続されている。
【背景技術】
【０００２】
パワースイッチを１つのパワー半導体素子として構成する場合、又は、パワースイッチを平行に又は直列に接続されている複数のパワー半導体素子として構成する場合、パワースイッチを駆動するためには駆動回路が必要不可欠である。これらの駆動回路は、従来技術において、複数の部分回路或いは機能ブロックから構成されている。上位の制御部からくる駆動信号は、第１部分回路、即ち１次側で評価され、他のコンポーネントを介して、ドライバー回路、即ち２次側に供給され、そして最終的には各々のパワースイッチの制御入力部に供給される。比較的高い中間回路電圧、例えば５０Ｖよりも大きな中間回路電圧を有するハーフブリッジ装置では、制御信号を評価するための１次側が電位的に／直流電気的に２次側から分離されていて、その理由は、パワースイッチ、即ちハーフブリッジの少なくともＴＯＰスイッチが、稼動時には一定の電位上にはなく、それにより電圧的な絶縁が不可避であるためである。従来技術においてこの分離は、例えば、トランスフォーマ、オプトカプラ、或いは光導波路を用いて行われる。この直流電気的な分離は少なくともＴＯＰスイッチに適用されるが、出力が比較的高い場合には、スイッチング時のグラウンド電位の起こり得るスリップに基づき、ＢＯＴスイッチのためにも実施される。
【０００３】
外部の直流電気的な分離を排除した、６００Ｖ又は１２００Ｖに至るまでの電圧クラスのパワースイッチ用の集積回路装置も知られている。これらのモノリシック集積回路において従来技術では所謂レベルシフタが少なくともＴＯＰスイッチのために使用される。それによりこれらの電子構成要素及び絶縁技術は１次側から２次側への電位差を克服する。
【０００４】
パワースイッチを駆動するためのモノリシック集積回路装置に関する上述の構成において、ＴＯＰスイッチの２次側のための少なくとも最も簡単なコンフィギュレーションでは１次側への故障応答のための可能性が提供されていない。
【発明の開示】
【発明が解決しようとする課題】
【０００５】
本発明の基礎を成す課題は、２次側から１次側への故障応答をより簡単で且つ集積可能（組込可能）な手段を用いて可能とする、ブリッジ装置内のパワー半導体スイッチ用の好ましくはモノリシック集積された回路装置、並びにそれに付属する方法を紹介することである。
【課題を解決するための手段】
【０００６】
前記の課題は、本発明に従い、請求項１並びに請求項４に記載した措置により解決される。有利な構成形態は従属請求項に記載されている。
【０００７】
本発明の思想は、１次側の部分（１次側）と各々の２次側の部分（２次側）とから成るブリッジトポロジーにおいてパワー半導体スイッチを駆動するための周知の回路装置から出発している。このブリッジ回路は、第１スイッチ、即ちＴＯＰスイッチと、第２スイッチ、即ちＢＯＴスイッチとから構成される。これらのスイッチは従来技術により直流中間回路と接続されている。ＴＯＰスイッチとＢＯＴスイッチとの間の中間引出部（センタータップ）はブリッジ回路の交流出力部を形成する。駆動のための回路装置は、その１次側において、少なくとも１つの信号処理部と、電位を伴わずに少なくとも１つの２次側を駆動するための少なくとも１つのレベルシフタとを有する。この２次側の方は、少なくとも１つの信号処理部と、各々のスイッチのための少なくとも１つのドライバーステージとを有する。
【０００８】
本発明は、パワー半導体スイッチを駆動するための好ましくはモノリシック集積された回路装置を紹介し、この際、１次側と少なくとも１つの２次側との間には、２次側から１次側に故障ステータス伝送するためのダイオードが配設されている。この際、ダイオードのアノード側の端子（ターミナル）は１次側に配設されていて、カソード側の端子はドライバー回路の２次側に配設されている。更にこの回路装置は１次側において故障ステータス認識のためのフィルタリング部と電流検知部とを有し、２次側において故障ステータス実装のための回路を有する。これらの両方の回路部分はダイオードと接続されている。
【０００９】
上記の種類の回路装置内で２次側から１次側に故障伝送するための付属の方法は、１次側において、電流検知機能、並びに好ましくは電圧調整機能を有し、この電圧調整機能は、１次側の稼動電圧と同じ又はそれよりも小さい定義された電圧をダイオードに印加する。
【００１０】
故障のない稼動時、ＴＯＰスイッチに付設された２次側の故障ステータス実装部はダイオードのカソードに「ハイ」レベルを設定し、故障のある稼動時にこの故障ステータス実装部は「ロー」レベルを有する。２次側が１次側に対して高い正のオフセット電圧を有する（ＴＯＰスイッチが開いている）のであれば、電流の流れは行なわれ得ない（ダイオードは遮断されている）。ＴＯＰスイッチが閉じていて、ＢＯＴスイッチが開いている場合、或いは、ＢＯＴスイッチと平行の高抵抗の抵抗により、２次側の回路は故障ステータス実装のためにグラウンド・基準電位に引き込まされる。この場合、実装された２次側の故障ステータスが１次側により、電流の流れが導通するダイオードによって可能であることにより認識される。
【発明を実施するための最良の形態】
【００１１】
次に図１及び図２の実施例に基づき本発明の思想を更に詳細に説明する。
【００１２】
図１は従来技術によるブリッジトポロジーとしてパワー半導体スイッチを駆動するための回路装置を示している。図面の簡素化のために１つのハーフブリッジだけが描かれている。他のブリッジトポロジーはそれに対応する。
【００１３】
このブリッジトポロジーにおける回路装置内でＩＧＢＴ（絶縁ゲート型バイポーラトランジスタ）のようなパワー半導体素子（５０、５２）を駆動する場合、一方では例えばマイクロコントローラ（１０）の形式の上位の制御部（１０）及び回路装置の１次側（２０）と、他方では回路装置の２次側（３０、３２）及びパワー半導体素子（５０、５２）との間の電圧差に基づき、電位分離が必要不可欠である。従来技術に応じ、電離分離の様々な可能性が知られていて、例えば、トランスフォーマ（４０、４２）、オプトカプラ、光導波路、又は対応的な耐電圧（絶縁耐力）を有する電子構成要素である。
【００１４】
１次側と２次側がモノリシック集積の場合、１次側から２次側に制御信号を伝達するためには、多くの場合、レベルシフタが使用される。これらの構成要素を用い、スイッチオン（ターンオン）・スイッチオフ（ターンオフ）信号が１次側（低電圧側）から２次側（高電圧側）へと伝達され得る。パワー電子システムの障害のない稼動にとって本質的なことは、例えば、ＴＯＰスイッチ及びＢＯＴスイッチの具体的なスイッチング状態又は種々の故障状態に関する、２次側における稼動状態の認識である。
【００１５】
２次側から１次側への信号伝達に対応するこの種のステータス応答要求は、トランスフォーマ、双方向性オプトカプラ、又は双方向性光導波路を用いたハイブリッド式の解決策において可能である。モノリシック集積の解決策では、好ましくはｐＭＯＳ高電圧トランジスタを使用した相補的なレベルシフタが知られている。これらの全ての解決策の短所は、追加的な信号パスが追加的なコスト及び／又は追加的な技術手間をもって実現されなくてはならないということである。
【実施例１】
【００１６】
図２は、本発明に従って構成された、ブリッジトポロジーにおいてパワー半導体スイッチ（５０、５２）を駆動するためのモノリシック集積された回路装置（１００）を示している。ここでは１次側（２０）と２次側（３０）との間にダイオードが配設されている。この際、このダイオードは、１次側と２次側との間の最大電位差に対応する耐電圧を有する。このダイオードのアノードは、１次側により、局所的な稼動電圧と同じ又はそれよりも小さい電圧で付勢される。
【００１７】
ＢＯＴスイッチに付設されている２次側（３２）は電離分離を伴うことなく１次側（２０）と接続されている。本発明に従う回路装置の構成及びそれに付属する方法では、１次側（２０）の回路部分により、どの程度で電流がダイオード（６０）を通じて流れるかが監視される。２次側（３０）が１次側（２０）に対して高い正のオフセット電圧を有するのであれば、ダイオード（６０）を通じる持続的な電流の流れは行なわれ得ない。従って通常稼動時には、ＴＯＰスイッチ（５０）のスイッチオン段階中、ステータス信号が２次側（３０）から１次側（２０）へと伝達されることはない。同じことが、２次側（３０）が高いオフセット電位に留まっている故障状態にも当てはまる。駆動モードにおいてＴＯＰスイッチ（５０）が「オフ」でありＢＯＴスイッチ（５２）が「オン」である場合がそうであるが、しかし１次側（２０）と２次側（３０）がほぼ同じ基準電位上にあれば、ダイオード（６０）を通じて電流が流れる。この状態は、通常稼動時、周期的に進行される。
【００１８】
例えばブートストラップ・ダイオードを介して２次側の固有のエネルギー供給を伴う、集積されたシステム又はハイブリッド式のシステムにおいて、この稼動状態はむしろ必然的に必要であり、従って使用され得る。ここではダイオード（６０）のカソード側の端子（ターミナル）における電位が決定的である。この端子が２次側（３０）の稼動電圧（Ｖｄ）上に位置すると、アノード側の端子における電圧制御のディメンショニングの結果、静的な電流の流れは発生しない。この状態は２次側（３０）の故障のない機能を合図し、例えば正しくスイッチオフされたＴＯＰスイッチ（５０）である。他方、２次側に配設されているゲートドライバーが、ＴＯＰスイッチ（５０）がスイッチオンされている段階中に故障を認識すると、このステータスは局所的に記憶され、ダイオード（６０）の２次側の端子がグラウンド・基準電位（Ｇｄ）に置かれる。ＢＯＴスイッチ（５２）の次に続くスイッチオン段階の経過時には電流がダイオード（６０）を通じて流れ、２次側（３０）の認識された故障ステータスを、好ましくは後続する電圧調整部（２４）を有する電流検知回路（２２）として形成されている１次側（２０）の故障検知部へと合図する。
【００１９】
２次側の故障記憶器のリセットは次のＴＯＰスイッチオンパルスを介して行なわれ、その理由は、システムが故障を無視する或いは除去されたものと見なす場合にだけそのパルスが生成されるためである。１次側（２０）の電圧調整部は、確実な信号伝送に対して一時的に負のオフセット電圧の結果としてダイオード（６０）の過渡的な再充電電流と導通電流との間のＳＮ比を最適化するために用いられる。
【００２０】
最も簡単な場合、ダイオード（６０）のアノードは、直接的に１次側の稼動電圧の電位上に位置する。流れる電流の検知は、抵抗・電圧降下、電流部分の分断（デカップリング）、又は別の周知の原理を介して行なわれ得る。重要なことは、２次側（３０）と１次側（２０）との間のダイオードの結合キャパシタンスの結果として発生する過渡的な再充電電流の、レベルシフタに対応して適合されたフィルタリングである。
【００２１】
追加的に、十分に長く存在している電流評価の可能性を可能とする駆動マスタに対し、１次側の故障検知のアクティブな監視段階のウインドー処理（時間・相・制御）が行なわれる。回路装置の構造上の単純化、並びにアクティブにスイッチングされている高電圧構成要素の廃止は、頑丈な実装を可能にしてくれる。それに対し、読出し段階が時間的に制限されているということが短所であると分かっている。従って本方法は完全に汎用的なものではなく、ＴＯＰスイッチ（５０）のスイッチオフ段階中にだけ故障・リターン伝達にとって適している。また他方では極めて僅かなコスト手間によりシステム内への応答機能が集積可能である。
【００２２】
提案された方式は、全般的に、ブリッジ回路のスイッチング状態の周期的な進行時に適用可能である。２次側（３０）の稼動電圧監視の例としての適用事例において、容量的なブロッキングのディメンショニングを用い、電圧が稼動電圧閾値を下回った後にまだ次のスイッチング段階に至るまで十分な値を維持することが保証されなくてはならない。前記の回路装置及びそれに付属の方法により、局所的に中間記憶されている故障ステータスが２次側から１次側へと伝達され、ＴＯＰスイッチ（５０）の新たなスイッチオンが故障時には従って回避される。
【００２３】
両方のスイッチがスイッチオフされているスイッチング状態では基準電位が定義されてなく浮遊状態にあり、それにより確実なリターン伝送は行なわれ得ない。そのようなケースにおいても故障伝達を保証するために、ＢＯＴスイッチが高抵抗でブリッジされることにより、高抵抗の抵抗（７０）を用い、ブリッジ回路の交流タップがグラウンド・基準電位と高抵抗で接続されている。抵抗のディメンショニングにより、通常の稼動時には横断電流が顧慮されなくてはならない。この電流は一方では最小であるべきで、他方では、全ブリッジ出力部の結合キャパシタンスを放電するために十分であるできである。
【図面の簡単な説明】
【００２４】
【図１】従来技術による回路装置を示す図である。
【図２】本発明に従って構成された回路装置を示す図である。
【符号の説明】
【００２５】
１０              上位の制御部
２０              １次側
２２              電流検知回路
２４              電圧調整部
３０、３２        ２次側
４０、４２        トランスフォーマ
５０、５２        パワー半導体素子
６０              ダイオード
１００              回路装置（モノリシック集積）
【図１】
2006333458.tif 000003
【図２】
2006333458.tif 000004